(57)【要約】【課題】通信品質のレベルを適切に推定することが可能な無線基地局及び通信制御方法を提供することを目的とする。【解決手段】無線基地局１は、ＢＰ毎の当該ＢＰにおいてＣＱＩが最も高いＳＢについてのＣＱＩであるＳＢ−ＣＱＩと、下り方向の周波数帯域のＣＱＩの平均であるＷＢ−ＣＱＩとを含んだＣＱＩ通知を受信する。更に、無線基地局１は、欠落ＳＢのＣＱＩを、当該欠落ＳＢと同一のＢＰに含まれる他のＳＢのＣＱＩであるＳＢ−ＣＱＩと、ＷＢ−ＣＱＩのうちの低い方で補間する。【選択図】図４
2010177912.tif 000002
【特許請求の範囲】
【請求項１】
下り帯域が、複数の第１周波数帯に分割され、前記第１周波数帯のそれぞれが複数の第２周波数帯に分割されている無線通信システムに構成される無線基地局であって、
前記下り帯域における平均通信品質を示す第１品質レベルと、前記第１周波数帯毎に、前記第１周波数帯における前記複数の第２周波数帯の通信品質のうち、最高の通信品質を示す第２品質レベルとを無線端末から受信する受信部と、
前記第１周波数帯において、前記第２品質レベルに対応する前記第２周波数帯以外の第２周波数帯の通信品質を示す第３品質レベルを補間する補間部と
を備え、
前記補間部は、前記第１品質レベル及び前記第２品質レベルのうち何れか低い方を前記第３品質レベルとして選択する無線基地局。
【請求項２】
前記補間部は、前記第３品質レベルとして前記第２品質レベルを選択した場合、前記第３品質レベルを、前記第２品質レベルよりも低いレベルとする請求項１に記載の無線基地局。
【請求項３】
前記第２品質レベルと、前記第３品質レベルとに基づいて、前記無線端末に対して、下り方向の周波数帯を割り当てる割当部を備える請求項１または２に記載の無線基地局。
【請求項４】
前記補間部は、前記無線端末から前記第２品質レベルを受信してからの経過時間に応じて、前記第２品質レベルを低下させる請求項１乃至３の何れか１項に記載の無線基地局。
【請求項５】
下り帯域が、複数の第１周波数帯に分割され、前記第１周波数帯のそれぞれが複数の第２周波数帯に分割されている無線通信システムに構成される無線基地局における通信制御方法であって、
前記無線基地局が、前記下り帯域における平均通信品質を示す第１品質レベルと、前記第１周波数帯毎に、前記第１周波数帯における前記複数の第２周波数帯の通信品質のうち、最高の通信品質を示す第２品質レベルとを無線端末から受信するステップと、
前記無線基地局が、前記第１周波数帯において、前記第２品質レベルに対応する前記第２周波数帯以外の第２周波数帯の通信品質を示す第３品質レベルを補間するステップと
を備え、
前記補間するステップは、前記第１品質レベル及び前記第２品質レベルのうち何れか低い方を前記第３品質レベルとして選択する通信制御方法。
【発明の詳細な説明】
【技術分野】
【０００１】
本発明は、無線端末からフィードバックされるＣＱＩに基づいて当該無線端末にチャネルを割り当てる無線基地局、及び、当該無線基地局における通信制御方法に関する。
【背景技術】
【０００２】
周波数分割複信（ＦＤＤ:Frequency Division Duplex）を用いる無線通信システムにおいて、無線基地局は、通信品質の良好な周波数（チャネル）を無線端末に割り当てるスケジューリングを行っている。この時、無線基地局は、無線端末からフィードバックされる下り方向のＣＱＩ（Channel Quality Indicator）に基づいて、当該無線端末に下り方向のチャネルを割り当てており、さらに、変調方式等を決定している。
【０００３】
３．９Ｇ通信システムであるＬＴＥ（Long Term Evolution）では、システムの周波数帯域はＢＰ（Bandwidth Part）と称される単位に分割され、さらにＢＰはＳＢ（Sub Band）と称される単位に分割される。このＬＴＥにおいて、Periodic Feedback モードでは、フィードバック量を少なくして上り方向のチャネルを効率的に利用するために、無線端末は、１つのＢＰにおいて、ＣＱＩが最も高いＳＢについてのみ、そのＳＢのＣＱＩ（ＳＢ−ＣＱＩ）を、無線基地局にフィードバックしている。また、無線端末は、システムの周波数帯域の平均的なＣＱＩ（ＷＢ−ＣＱＩ）をフィードバックしている。
【先行技術文献】
【非特許文献】
【０００４】
【非特許文献１】３GPP TS 36.213 V8.4.0 ”Technical Specification Group Radio Access Network; Evolved Universal Terrestrial Radio Access (E-UTRA); Physical Layer procedures (Release 8)”
【発明の概要】
【発明が解決しようとする課題】
【０００５】
しかし、このような無線通信システムにおいては、無線基地局は、１つのＢＰ内のＳＢのうち、一部のＳＢについてのＳＢ−ＣＱＩしか取得することができない。このため、スケジューラの割り当て決定過程において無線端末同士のＳＢ−ＣＱＩが競合した場合、無線基地局は、ある無線端末に対してＳＢ−ＣＱＩが不明のＳＢに対応するチャネルを割り当てなければならない状況が生じる。
【０００６】
この場合、無線端末に割り当てられた下り方向のＳＢについてのＳＢ−ＣＱＩが通信不能なほど低い場合、下り方向の通信は困難となる。
【０００７】
また、無線端末側では、実際には高い変調方式を選択することができるＣＱＩを持っているが、無線基地局ではこのようなＣＱＩは不明であるため、最低ランクの変調方式を選択せざるを得ない。このため、システム全体の伝送容量が損なわれてしまう。
【０００８】
そこで、本発明は、通信品質のレベルを適切に推定することが可能な無線基地局及び通信制御方法を提供することを目的とする。
【課題を解決するための手段】
【０００９】
上述した課題を解決するために、本発明は以下のような特徴を有している。まず、本発明の第１の特徴は、下り帯域が、複数の第１周波数帯に分割され、前記第１周波数帯のそれぞれが複数の第２周波数帯に分割されている無線通信システムに構成される無線基地局（無線基地局１）であって、前記下り帯域における平均通信品質を示す第１品質レベルと、前記第１周波数帯における前記複数の第２周波数帯の通信品質のうち、最高の通信品質を示す第２品質レベルとを無線端末から受信する受信部（ＣＱＩ情報受信部１２０）と、前記第１周波数帯において、前記第２品質レベルに対応する前記第２周波数帯以外の第２周波数帯の通信品質を示す第３品質レベルを補間する補間部（欠落ＣＱＩ補間部１４０）とを備え、前記補間部は、前記第１品質レベル及び前記第２品質レベルのうち何れか低い方を前記第３品質レベルとして選択することを要旨とする。
【００１０】
このような無線基地局は、受信部が下り帯域の平均通信品質（第１品質レベル）と、１つのＢＰにおいて、ＣＱＩが最も高いＳＢについての通信品質（第２品質レベル）とを受信し、第１品質レベルと第２品質レベルとのうち何れか低い方を、第２品質レベルに対応する第２周波数帯以外の第２周波数帯の通信品質（第３品質レベル）として選択する。第２品質レベルが第１品質レベルよりも高い場合、第２品質レベルは第３品質レベルよりも突出して高い可能性がある。このため、第３品質レベルを、第２通信品質レベルよりも低い第１品質レベルとすることにより、当該第３品質レベルを適切に推定することができる。また、第３品質レベルは、第２品質レベルを超えることはあり得ない。このため、第２品質レベルが第１品質レベルよりも低い場合には、第３品質レベルを、第２品質レベルとすることにより、第３品質レベルを適切に推定することができる。
【００１１】
本発明の第２の特徴は、第１の特徴に係り、前記補間部は、前記第３品質レベルとして前記第２品質レベルを選択した場合、前記第３品質レベルを、前記第２品質レベルよりも低いレベルとすることを要旨とする。
【００１２】
本発明の第３の特徴は、第１の特徴または第２の特徴に係り、前記第２品質レベルと、前記第３品質レベルとに基づいて、前記無線端末に対して、下り方向の周波数帯を割り当てる割当部（スケジューラ１５０）を備えることを要旨とする。
【００１３】
本発明の第４の特徴は、第１の特徴乃至第３の特徴のうち何れか１つに係り、前記補間部は、前記無線端末から前記第２品質レベルを受信してからの経過時間に応じて、前記第２品質レベルを低下させることを要旨とする。
【００１４】
本発明の第５の特徴は、下り帯域が、複数の第１周波数帯に分割され、前記第１周波数帯のそれぞれが複数の第２周波数帯に分割されている無線通信システムに構成される無線基地局における通信制御方法であって、前記無線基地局が、前記下り帯域における平均通信品質を示す第１品質レベルと、前記第１周波数帯における前記複数の第２周波数帯の通信品質のうち、最高の通信品質を示す第２品質レベルとを無線端末から受信するステップと、前記無線基地局が、前記第１周波数帯において、前記第２品質レベルに対応する前記第２周波数帯以外の第２周波数帯の通信品質を示す第３品質レベルを補間するステップとを備え、前記補間するステップは、前記第１品質レベル及び前記第２品質レベルのうち何れか低い方を前記第３品質レベルとして選択することを要旨とする。
【発明の効果】
【００１５】
本発明によれば、通信品質のレベルを適切に推定することが可能な無線基地局及び通信制御方法を提供できる。
【図面の簡単な説明】
【００１６】
【図１】本発明の実施形態に係る無線通信システムの全体概略構成図である。
【図２】本発明の実施形態に係る下り方向の周波数帯域の一例を示す図である。
【図３】本発明の実施形態に係る無線基地局の概略構成図である。
【図４】本発明の実施形態に係る無線基地局内の制御部、受信部、及び送信部の機能ブロック構成図である。
【図５】本発明の実施形態に係る欠落ＣＱＩ補間部の機能ブロック図である。
【図６】本発明の実施形態に係る無線基地局が受信したＷＢ−ＣＱＩ及びＳＢ−ＣＱＩの一例を示す図である。
【図７】本発明の実施形態に係る欠落ＣＱＩ補間部による補間の一例を示す図である。
【図８】本発明の実施形態に係る無線端末の概略構成図である。
【図９】本発明の実施形態に係る無線端末の機能ブロック構成図である。
【図１０】本発明の実施形態に係る無線基地局の動作を示すフローチャートである。
【発明を実施するための形態】
【００１７】
次に、図面を参照して、本発明の実施形態を説明する。具体的には、（１）無線通信システムの構成、（２）無線基地局の動作、（３）作用・効果、（４）その他の実施形態について説明する。以下の実施形態における図面の記載において、同一又は類似の部分には同一又は類似の符号を付している。
【００１８】
（１）無線通信システムの構成
まず、本発明の実施形態に係る無線通信システムの構成について、（１．１）無線通信システムの全体概略構成、（１．２）無線基地局の構成、（１．３）無線端末の構成の順に説明する。
【００１９】
（１．１）無線通信システムの全体概略構成
図１は、本発明の実施形態に係る無線通信システム１０の全体概略構成図である。
【００２０】
図１に示すように、無線通信システム１０は、３．９Ｇ通信システムであるＬＴＥ（Long Term Evolution）の無線通信システムである。この無線通信システム１０は、無線基地局１と、無線端末２Ａ、無線端末２Ｂ及び無線端末２Ｃとを含む。図１において、無線端末２Ａ乃至２Ｃは、無線基地局１が提供するセル３に在圏している。
【００２１】
図２に示すように、無線通信システム１０における下り方向の周波数帯域（下り帯域）は、ＢＰ（Bandwidth Part）と称される単位に分割される。また、ＢＰはＳＢ（Sub Band）と称される単位に分割され、さらにＳＢはＲＢ（Resouce Block）に分割される。
【００２２】
（１．２）無線基地局の構成
次に、無線基地局１の構成について、（１．２．１）無線基地局の概略構成、（１．２．２）無線基地局の詳細構成の順に説明する。
【００２３】
（１．２．１）無線基地局の概略構成
図３は、無線基地局１の概略構成図である。図３に示すように、無線基地局１は、制御部１０２、記憶部１０３、有線通信部１０４、受信部１０５、送信部１０６、アンテナ１０７を含む。
【００２４】
制御部１０２は、例えばＣＰＵによって構成され、無線基地局１が具備する各種機能を制御する。記憶部１０３は、例えばメモリによって構成され、無線基地局１における制御などに用いられる各種情報を記憶する。有線通信部１０４は、図示しないルータ等を介して上位ネットワークに存在するアクセスゲートウェイ等に接続される。
【００２５】
受信部１０５は、アンテナ１０７を介して、無線端末２Ａ乃至２Ｃからの無線信号を受信する。送信部１０６は、アンテナ１０７を介して、無線端末２Ａ乃至２Ｃへ無線信号を送信する。
【００２６】
（１．２．２）無線基地局の詳細構成
次に、無線基地局１の詳細構成、具体的には、制御部１０２、受信部１０５、及び送信部１０６の機能ブロック構成について説明する。図４は、制御部１０２、受信部１０５、及び送信部１０６の機能ブロック構成図である。図４において、制御部１０２は、欠落ＳＢ認識部１３０、欠落ＣＱＩ補間部１４０、及びスケジューラ１５０を含む。また、受信部１０５は、ＣＱＩ情報受信部１２０を含み、送信部１０６は送信信号生成部１６０を含む。
【００２７】
以下においては、無線基地局１が、無線端末２Ａと通信を行うものとして説明する。但し、無線基地局１が、無線端末２Ｂ及び無線端末２Ｃと通信を行う場合も同様である。
【００２８】
ＣＱＩ情報受信部１２０は、無線端末２Ａから送信されたＣＱＩ通知を受信する。ＣＱＩ通知は、ＢＰ毎に、当該ＢＰにおいて、ＣＱＩ（Channel Quality Indicator）が最も高いＳＢについてのＣＱＩ（以下、ＳＢ−ＣＱＩ）と、ＳＢ−ＣＱＩに対応するＳＢのＩＤ（ＳＢ−ＩＤ）とを含む。また、ＣＱＩ通知は、無線通信システム１０における下り方向の周波数帯域のＣＱＩの平均（以下、ＷＢ−ＣＱＩ）とを含む。ＣＱＩ情報受信部１２０は、ＣＱＩ通知を欠落ＳＢ認識部１３０に出力する。
【００２９】
欠落ＳＢ認識部１３０は、ＣＱＩ情報受信部１２０から入力したＣＱＩ通知に含まれるＳＢのＩＤに基づいて、ＣＱＩの通知されていないＳＢが存在するか否かを判断する。ＣＱＩが通知されていないＳＢが存在する場合、当該ＳＢを欠落ＳＢとして認識する。具体的には、欠落ＳＢ認識部１３０は、ＣＱＩ通知に含まれるＳＢ−ＣＱＩに対応するＳＢ−ＩＤ以外のＳＢ−ＩＤを有するＳＢを、欠落ＳＢとして認識する。
【００３０】
欠落ＳＢが存在する場合、欠落ＳＢ認識部１３０は、欠落ＣＱＩ補間部１４０へＣＱＩ通知を出力する。
【００３１】
欠落ＣＱＩ補間部１４０は、欠落ＣＱＩ補間部１４０から入力したＣＱＩ通知に含まれるＷＢ−ＣＱＩ及びＳＢ−ＣＱＩを用いて、欠落ＳＢのＣＱＩを補間する。
【００３２】
図５は、欠落ＣＱＩ補間部１４０機能ブロック図である。欠落ＣＱＩ補間部１４０は、ＣＱＩ比較部１４２及びＣＱＩ決定部１４４を含む。
【００３３】
ＣＱＩ比較部１４２は、欠落ＳＢ認識部１３０からＢＰ毎のＳＢ−ＣＱＩとＷＢ−ＣＱＩとを入力する。次に、ＣＱＩ比較部１４２は、ＢＰ毎に、当該ＢＰに対応するＳＢ−ＣＱＩとＷＢ−ＣＱＩとを比較する。さらに、ＣＱＩ比較部１４２は、ＳＢ−ＣＱＩとＷＢ−ＣＱＩとのうち、低い通信品質を示している方を、ＣＱＩ決定部１４４に出力する。
【００３４】
ＣＱＩ決定部１４４は、入力したＷＢ−ＣＱＩ又はＳＢ−ＣＱＩを、対応するＢＰ内の欠落ＳＢのＣＱＩとする。さらに、ＣＱＩ決定部１４４は、欠落ＳＢのＣＱＩをＳＢ−ＣＱＩとした場合、欠落ＳＢのＣＱＩを所定量下げる。
【００３５】
そして、ＣＱＩ決定部１４４は、ＣＱＩ通知と決定した欠落ＳＢのＣＱＩとをスケジューラ１５０に出力する。
【００３６】
図６は、無線基地局１が無線端末２Ａから受信したＷＢ−ＣＱＩ及びＳＢ−ＣＱＩの一例を示す図である。また、図７は、図６の場合における欠落ＣＱＩ補間部１４０による欠落ＳＢのＣＱＩの補間の一例を示す図である。
【００３７】
図６において、無線通信システム１０における下り方向の周波数帯域は、ＢＰ１、ＢＰ２及びＢＰ３に分割されている。さらに、ＢＰ１は、ＳＢ１１、ＳＢ１２及びＳＢ１３に、ＢＰ２は、ＳＢ２１，ＳＢ２２及びＳＢ２３に、ＢＰ３は、ＳＢ３１、ＳＢ３２及びＳＢ３３にそれぞれ分割されている。
【００３８】
無線基地局１は、ＢＰ１におけるＳＢ１２のＣＱＩ、ＢＰ２におけるＳＢ２１のＣＱＩ、ＢＰ３におけるＳＢ３３のＣＱＩを、各ＢＰに対応するＳＢ−ＣＱＩとして受信している。このとき、欠落ＳＢ認識部１３０は、受信していないＣＱＩに対応するＳＢ１１、ＳＢ１３、ＳＢ２２、ＳＢ２３、ＳＢ３１、及びＳＢ３２を、欠落ＳＢとして認識する。
【００３９】
図６の場合、ＢＰ１において、ＷＢ−ＣＱＩは、ＳＢ−ＣＱＩであるＳＢ１２のＣＱＩよりも低い。このため、ＣＱＩ比較部１４２は、ＢＰ１についてＷＢ−ＣＱＩをＣＱＩ決定部１４４に出力する。ＢＰ２において、ＳＢ−ＣＱＩであるＳＢ２１のＣＱＩは、ＷＢ−ＣＱＩよりも低い。このため、ＣＱＩ比較部１４２は、ＢＰ１についてＳＢ−ＣＱＩであるＳＢ２１のＣＱＩをＣＱＩ決定部１４４に出力する。ＢＰ３において、ＳＢ−ＣＱＩであるＳＢ３３のＣＱＩは、ＷＢ−ＣＱＩよりも低い。このため、ＣＱＩ比較部１４２は、ＢＰ１についてＳＢ−ＣＱＩであるＳＢ３３のＣＱＩをＣＱＩ決定部１４４に出力する。
【００４０】
ＣＱＩ決定部１４４は、ＢＰ１について、ＷＢ−ＣＱＩを入力する。更に、ＣＱＩ決定部１４４は、ＢＰ１についての欠落ＳＢであるＳＢ１１及びＳＢ１３のＣＱＩを、ＷＢ−ＣＱＩとする（図７の補間ＳＢ−ＣＱＩ１）。
【００４１】
また、ＣＱＩ決定部１４４は、ＢＰ２について、ＳＢ−ＣＱＩであるＳＢ２１のＣＱＩを入力する。このため、ＣＱＩ決定部１４４は、ＢＰ２についての欠落ＳＢであるＳＢ２２及び２３のＣＱＩを、ＳＢ２１のＣＱＩであるＳＢ−ＣＱＩとする（図７の補間ＳＢ−ＣＱＩ２）。
【００４２】
また、ＣＱＩ決定部１４４は、ＢＰ３ついて、ＳＢ−ＣＱＩであるＳＢ３３のＣＱＩを入力する。このため、ＣＱＩ決定部１４４は、ＢＰ３についての欠落ＳＢであるＳＢ３１及び３２のＣＱＩを、ＳＢ３３のＣＱＩであるＳＢ−ＣＱＩとする（図７の補間ＳＢ−ＣＱＩ３）。
【００４３】
さらに、ＣＱＩ決定部１４４は、決定したＳＢ２２及びＳＢ２３のＣＱＩを所定量下げる（図７の補間ＳＢ−ＣＱＩ２−２）。同様に、ＣＱＩ決定部１４４は、決定したＳＢ３１及びＳＢ３２のＣＱＩを所定量下げる（図７の補間ＳＢ−ＣＱＩ３）。
【００４４】
そして、ＣＱＩ決定部１４４は、ＣＱＩ通知と、決定したＳＢ１１、ＳＢ１３、ＳＢ２２、ＳＢ２３、ＳＢ３１、及びＳＢ３２のＣＱＩを、スケジューラ１５０に出力する。
【００４５】
再び図４に戻って、制御部１０２、受信部１０５、及び送信部１０６の機能ブロック構成について説明する。
【００４６】
スケジューラ１５０は、ＣＱＩ決定部１４４から入力したＣＱＩ通知と、決定した欠落ＳＢのＣＱＩとを用いて、無線端末２Ａにチャネルを割り当てる。
【００４７】
送信信号生成部１６０は、スケジューラ１５０が無線端末２Ａに対して割り当てたチャネルの情報を通知する送信信号を生成する。送信信号生成部１６０は、生成した送信信号を、無線端末２Ａに対して送信する。
【００４８】
（１．３）無線端末の構成
次に、無線端末２Ａの構成について、（１．３．１）無線端末の概略構成、（１．３．２）無線端末の詳細構成の順に説明する。
【００４９】
（１．３．１）無線端末の概略構成
図８は、無線端末２Ａの概略構成図である。なお、無線端末２Ｂ及び無線端末２Ｃも同様の構成となる。図８に示すように、無線端末２Ａは、例えば音声端末であり、ＲＦ部２０１、制御部２０３、マイク２０５、スピーカ２０７、アンテナ２０９を含む。
【００５０】
ＲＦ部２０１は、ＲＦ回路、ベースバンド回路等を含み、変調及び復調、符号化及び復号等を行い、アンテナ２０９を介して無線信号の送信及び受信を行う。
【００５１】
制御部２０３は、例えばＣＰＵによって構成され、無線端末２が具備する各種機能を制御する。
【００５２】
マイク２０５は、音声を集音し、集音された音声に基づく音声データを制御部２０３に出力する。スピーカ２０７は、制御部２０３から取得した音声データに基づいて音声を出力する。
【００５３】
（１．３．２）無線端末の詳細構成
次に、無線端末２Ａの詳細構成、具体的には、制御部２０３の機能ブロック構成について説明する。図９は、制御部２０３の機能ブロック構成図である。図９において、制御部２０３は、ＣＱＩ計算部２３０及びＳＢ−ＣＱＩ選択部２３２を含む。
【００５４】
ＣＱＩ計算部２３０は、ＲＦ部２０１がアンテナ２０９を介して受信した無線信号に基づいて、各ＳＢにおけるＣＱＩを計算する。また、ＣＱＩ計算部２３０は、受信した無線信号に基づいて、ＷＢ−ＣＱＩを計算する。ＣＱＩ計算部２３０は、各ＳＢのＣＱＩとＷＢ−ＣＱＩとを、ＳＢ−ＣＱＩ選択部２３２に出力する。
【００５５】
ＳＢ−ＣＱＩ選択部２３２は、ＣＱＩ計算部２３０から入力する。さらに、ＳＢ−ＣＱＩ選択部２３２は、ＢＰ毎に、当該ＢＰ内のＳＢのＣＱＩのうち、最高のＣＱＩをＳＢ−ＣＱＩとして選択する。ＳＢ−ＣＱＩ選択部２３２は、各ＢＰにおけるＳＢ−ＣＱＩとＷＢ−ＣＱＩとを含むＣＱＩ通知を生成する。ＳＢ−ＣＱＩ選択部２３２は、生成したＣＱＩ通知をＲＦ部２０１に出力する。
【００５６】
ＲＦ部２０１は、ＣＱＩ通知を、無線基地局１に送信する。
【００５７】
（２）無線基地局の動作
図１０は、無線通信システム１０における無線基地局１の動作を示すフローチャートである。
【００５８】
ステップＳ１０１において、無線基地局１のＣＱＩ情報受信部１２０は、無線端末２ＡからＣＱＩ通知を受信する。
【００５９】
ステップＳ１０２において、無線基地局１の欠落ＳＢ認識部１３０は、ＣＱＩが欠落しているＳＢ（欠落ＳＢ）があるか否かを判断する。
【００６０】
欠落ＳＢがある場合（ステップＳ１０２のＹＥＳ）、ステップＳ１０３において、無線基地局１のＣＱＩ比較部１４２は、ＳＢ−ＣＱＩがＷＢ−ＣＱＩよりも高いか否かを判定する。
【００６１】
ＷＢ−ＣＱＩがＳＢ−ＣＱＩよりも大きい場合（ステップＳ１０３のＹＥＳ）、ステップＳ１０４において、無線基地局１のＣＱＩ決定部１４４は、欠落ＳＢのＣＱＩとして、欠落ＳＢと同一のＢＰに含まれるＳＢに対応するＳＢ−ＣＱＩを選択する。そして、ステップＳ１０５において、ＣＱＩ決定部１４４は、欠落ＳＢのＣＱＩを所定量低くして、ステップＳ１０２に進む。
【００６２】
その後、ステップＳ１０２において、ＣＱＩが欠落しているＳＢが無いと判断されるまで、ステップＳ１０３〜ステップＳ１０５を繰り返す。つまり、欠落ＳＢの数に応じて、前記処理を繰り返し実行する。
【００６３】
一方、ＷＢ−ＣＱＩがＳＢ−ＣＱＩ以下の場合（ステップＳ１０３のＮＯ）、ステップＳ１０７において、無線基地局１のＣＱＩ決定部１４４は、欠落ＳＢのＣＱＩとして、ＷＢ−ＣＱＩを選択する。その後、ステップＳ１０６に進む。
【００６４】
欠落ＳＢが無い場合（ステップＳ１０２のＮＯ）、ステップＳ１０６に進む。
【００６５】
ステップＳ１０６において、無線基地局１のスケジューラ１５０は、無線端末２Ａの全ＳＢのＣＱＩに基づいたスケジューリングを行う。具体的には、無線端末２Ａに全ＳＢのＣＱＩに基づいて決定されたチャネルを割り当てる。
【００６６】
（３）作用・効果
以上、本実施形態によれば、欠落ＣＱＩ補間部１４０は、ＳＢ−ＣＱＩとＷＢ−ＣＱＩとを比較し、低い方を欠落ＳＢのＣＱＩとして選択する。このような無線基地局１によれば、欠落ＳＢのＣＱＩを、当該欠落ＳＢと同一のＢＰに含まれる他のＳＢのＣＱＩであるＳＢ−ＣＱＩと、ＷＢ−ＣＱＩのうちの低い方で補間することになる。
【００６７】
ＳＢ−ＣＱＩがＷＢ−ＣＱＩよりも高い場合には、ＳＢ−ＣＱＩは欠落ＳＢのＣＱＩよりも突出して高い可能性がある。このため、無線基地局１は、欠落ＳＢのＣＱＩを、ＳＢ−ＣＱＩよりも低いＷＢ−ＣＱＩとすることにより、欠落ＳＢのＣＱＩを適切に推定することができる。
【００６８】
また、欠落ＳＢのＣＱＩは、ＳＢ−ＣＱＩを超えることはあり得ない。このため、ＳＢ−ＣＱＩがＷＢ−ＣＱＩよりも低い場合には、無線基地局１は、欠落ＳＢのＣＱＩをＳＢ−ＣＱＩとすることにより、欠落ＳＢのＣＱＩを適切に推定することができる。更には、無線基地局１は、欠落ＳＢのＣＱＩをＳＢ−ＣＱＩとした場合には、更に、欠落ＳＢのＣＱＩを所定量低くすることにより、当該欠落ＳＢのＣＱＩを、より適切に推定することができる。
【００６９】
また、本実施形態によれば、無線基地局１は、補間した欠落ＳＢのＣＱＩと、ＣＱＩ通知とを用いて、無線端末にチャネルを割り当てる。このため、無線基地局１は、欠落ＳＢが存在し、且つ、無線端末に欠落ＳＢを割り当てざるを得ない場合においても、適切にスケジューリングを行うことができる。
【００７０】
（４）その他の実施形態
本実施形態では、ＣＱＩ決定部１４４は、ＣＱＩ通知が受信されてからの経過時間を測定する。さらに、ＣＱＩ決定部１４４は、その経過時間が長いほど、ＣＱＩ通知に含まれるＳＢ−ＣＱＩを低下させる。
【００７１】
ＣＱＩ通知が受信されてからの経過時間が長くなるほど、ＣＱＩ通知に含まれるＳＢ−ＣＱＩは、現在のＳＢ−ＣＱＩと乖離する可能性が高い。具体的には、現在のＳＢ−ＣＱＩは、ＣＱＩ通知が受信されてからの経過時間が長くなるほど、当該ＣＱＩ通知に含まれるＳＢ−ＣＱＩよりも低くなっている可能性が高い。
【００７２】
このため、ＣＱＩ決定部１４４は、ＣＱＩが受信されてからの経過時間が長いほど、当該ＣＱＩ通知に含まれるＳＢ−ＣＱＩを低下させることで、現在のＳＢ−ＣＱＩとの乖離を考慮した適切なＳＢ−ＣＱＩを設定することができる。
【００７３】
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【符号の説明】
【００７４】
１…無線基地局、２Ａ〜２Ｃ…無線端末、３…セル、１０…無線通信システム、１０２…制御部、１０３…記憶部、１０４…有線通信部、１０５…受信部、１０６…送信部、１０７…アンテナ、１２０…ＣＱＩ情報受信部、１３０…欠落ＳＢ認識部、１４０…欠落ＣＱＩ補間部、１４２…ＣＱＩ比較部、１４４…ＣＱＩ決定部、１５０…スケジューラ、１６０…送信信号生成部、２０１…ＲＦ部、２０３…制御部、２０５…マイク、２０７…スピーカ、２０９…アンテナ、２３０…ＣＱＩ計算部、２３２…ＣＱＩ選択部
【図１】
2010177912.tif 000003
【図２】
2010177912.tif 000004
【図３】
2010177912.tif 000005
【図４】
2010177912.tif 000006
【図５】
2010177912.tif 000007
【図６】
2010177912.tif 000008
【図７】
2010177912.tif 000009
【図８】
2010177912.tif 000010
【図９】
2010177912.tif 000011
【図１０】
2010177912.tif 000012